(57)【特許請求の範囲】
【請求項１】
映像コンテンツの内容を要約したメタデータを供給するメタデータサーバーにインターネットにより接続され、複数の提供源から提供された複数の映像コンテンツを格納した映像コンテンツ格納手段と、前記映像コンテンツに対応付けられ、前記メタデータを前記メタデータサーバーから取得し、メタデータ格納手段へ格納するメタデータ取得手段とを有し、前記メタデータに基づき選択された所望の映像コンテンツを映像表示手段に表示する映像コンテンツ閲覧装置であって、
前記複数の映像コンテンツまたはオンエア中の映像コンテンツを、前記映像表示手段において提供源別に配置された複数の映像表示領域にそれぞれ表示し得る映像表示手段と、
前記メタデータ格納手段から一定条件下に抽出された前記メタデータを前記映像表示手段に配置されたメタデータ表示領域に文字として表示するメタデータ表示手段と、
前記メタデータ表示領域に文字として表示されたメタデータを指定するポインティング手段と、
前記ポインティング手段により指定されたメタデータに対応づけられた前記映像コンテンツを特定する映像コンテンツ特定手段と、
前記ポインティング手段によるメタデータの指定がされるまでの間は、オンエア中の映像コンテンツを前記映像表示領域に表示させ、前記ポインティング手段によるメタデータの指定がされたときには、当該メタデータのタイトルで特定された映像コンテンツを、前記映像コンテンツ格納手段から取得し、当該特定された映像コンテンツの提供源からオンエア中の映像コンテンツを表示している前記映像表示領域に表示させる指定映像コンテンツ表示手段と、を備えることを特徴とする映像コンテンツ閲覧装置。
【請求項２】
前記メタデータは、タイトルとメタデータ本文とから構成されており、
前記メタデータ表示領域には取得したメタデータのタイトルを表示し、
前記ポインティング手段で指定した前記メタデータのタイトルに相当するメタデータ本文を前記映像表示手段におけるメタデータ本文表示領域に表示するメタデータ本文表示手段を備えることを特徴とする請求項１に記載の映像コンテンツ閲覧装置。
【請求項３】
前記メタデータ表示手段は、前記メタデータのタイトルを前記メタデータ表示領域に移動する文字列として表示することを特徴とする請求項２に記載の映像コンテンツ閲覧装置。
【請求項４】
前記ポインティング手段は、マウスであることを特徴とする請求項１から請求項３までのいずれかに記載の映像コンテンツ閲覧装置。
【請求項５】
前記映像コンテンツ格納手段は、過去にテレビ放映された番組コンテンツを提供源である放送局ごとに前記映像コンテンツとして格納していることを特徴とする請求項１から請求項４までのいずれか一項に記載の映像コンテンツ閲覧装置。
【請求項６】
前記メタデータ格納手段に格納された前記メタデータのうち、指定された条件のメタ
データを抽出して前記メタデータ表示手段により前記メタデータ表示領域に表示するメ
タデータ検索手段を備えることを特徴とする請求項１から請求項５までのいずれか一項
に記載の映像コンテンツ閲覧装置。
【請求項７】
請求項１から請求項６までのいずれかに記載の映像コンテンツ閲覧装置と、この映像コンテンツ閲覧装置に接続された前記映像表示手段と、前記映像コンテンツ格納手段と、前記メタデータを供給するメタデータ供給手段と、を備えることを特徴とする映像コンテンツ閲覧システム。
【請求項８】
複数の提供源から取得した映像コンテンツを格納した映像コンテンツ格納手段から所望の映像コンテンツを映像表示手段に表示するに際して、
前記映像コンテンツ格納手段から指定した１又は複数の前記映像コンテンツを取得するステップと、
前記映像コンテンツ格納手段に格納された前記映像コンテンツについてのメタデータを取得するステップと、
取得した複数の映像コンテンツまたはオンエア中の映像コンテンツを、前記映像表示手段に提供源別に配置された映像表示領域に表示するステップと、
取得した映像コンテンツに関するメタデータを前記映像表示手段の表示領域に配置されたメタデータ表示領域に文字として表示するステップと、
前記メタデータ表示領域をポインティング手段で指定したとき、当該指定された領域に表示されているメタデータで特定される前記映像コンテンツを特定するステップと、
前記ポインティング手段によるメタデータの指定がされるまでの間は、オンエア中の映像コンテンツを前記映像表示領域に表示させ、前記ポインティング手段によるメタデータの指定がされたときには、当該メタデータのタイトルで特定された映像コンテンツを、前記映像コンテンツ格納手段から取得し、当該特定された映像コンテンツの提供源からオンエア中の映像コンテンツを表示している前記映像表示領域に表示させるステップと、
をコンピュータに実行させるためのコンピュータプログラム。
【発明の詳細な説明】
【技術分野】
【０００１】
本発明は、順次表示されるメタデータの文字列を指定して映像コンテンツを表示する映像コンテンツ閲覧装置、映像コンテンツ閲覧方法及びコンピュータプログラムに関する。
【背景技術】
【０００２】
近年テレビ放送を受信するテレビ放送受信装置は、記録手段の容量の増加により、複数の放送信号を同時に受信し、一定期間に放送される全ての番組（映像コンテンツ）を記録できる録画装置が提供されている。このような録画装置では一定期間に放送された多数の番組から再生したい映像コンテンツを選んで映像表示装置に再生することができる。
【０００３】
また、近年、放送された映像コンテンツについて、メタデータが提供される。このメタデータは、各番組について提供業者によって作成された情報であり、テレビ番組の放送日、曜日、局名、分類、タイトル、番組内容の要約、ヘッドライン、番組開始時刻、番組終了時刻、出演者、コーナーの名称、ジャンル等の各種情報を含むテキストである。このメタデータは、提供業者によって番組の放送中において順次作成されて、番組の放送から短時間（最短で１〜２分）遅延して略リアルタイムで提供される。近年、このメタデータを利用して記録した映像コンテンツを選択して閲覧することがなされる。
【０００４】
特許文献１には、番組コンテンツと、この番組コンテンツのメタデータとを関連付けて記録媒体に記録し、再生する番組コンテンツを選択するときに、ディスプレイの画面に属性選択リストを表示し、この属性選択リストに基づいて選択された属性を有する番組コンテンツを前記記録媒体から抽出し番組選択リストとして表示し、更にこの番組選択リストに置かれたカーソルの番組コンテンツについての動映像を動画ウインドーに重畳表示し、最終的に番組選択リストから選択された番組コンテンツをディスプレイの画面全体に再生する記録再生装置が記載されている。
【０００５】
また、特許文献２には、録画番組保存部とメタデータ保存部とを備えたＨＤＤレコーダーを備え、コンピュータに接続されて用いられる録画再生装置であり、コンピュータは、Ｗｅｂ情報と、メタデータに含まれる単語とを比較して一致した単語を表示し、表示した単語の中から選択された単語を、映像検索キーワードとしてＨＤＤレコーダーに送信し、ＨＤＤレコーダーは、当該映像検索用キーワードに関連する映像コンテンツのメタデータを情報処理部に返信し、当該メタデータに基づいて情報処理部で選択された映像コンテンツの選択情報を情報処理装置から受信して、選択情報に対応する映像コンテンツの再生を行うものが記載されている。
【特許文献１】特開２００７−２７４５６１号公報
【特許文献２】特開２００９−１５３６５号公報
【発明の開示】
【発明が解決しようとする課題】
【０００６】
しかしながら、上述のように提供されているメタデータは、特許文献１及び特許文献２に記載の発明のように、過去に取得された映像コンテンツを識別したり検索したりするために使用されているが、現在又は近い過去に取得された映像コンテンツの検索に活用されていない。即ち、現在放映中に刻々と提供されるメタデータから即座に映像コンテンツを指定して表示できない。このようにリアルタイムでメタデータを使用して映像コンテンツを表示する機能は、テレビ番組自体やテレビ番組から情報を解析するために有用であり、提供が期待されている。
【０００７】
本発明は上述した課題に鑑みてなされたものであり、閲覧したい映像コンテンツを選択するに際して、リアルタイムで取得され表示されるメタデータを選択することにより映像コンテンツを指定することで所望の映像コンテンツを表示できる映像コンテンツ閲覧装置、映像コンテンツ閲覧システム、及び映像コンテンツ閲覧方法を提供することを目的とする。
【課題を解決するための手段】
【０００８】
前記課題を解決する請求項１に記載の発明は、映像コンテンツの内容を要約したメタデータを供給するメタデータサーバーにインターネットにより接続され、複数の提供源から提供された複数の映像コンテンツを格納した映像コンテンツ格納手段と、前記映像コンテンツに対応付けられ、前記メタデータを前記メタデータサーバーから取得し、メタデータ格納手段へ格納するメタデータ取得手段とを有し、前記メタデータに基づき選択された所望の映像コンテンツを映像表示手段に表示する映像コンテンツ閲覧装置であって、前記複数の映像コンテンツまたはオンエア中の映像コンテンツを、前記映像表示手段において提供源別に配置された複数の映像表示領域にそれぞれ表示し得る映像表示手段と、前記メタデータ格納手段から一定条件下に抽出された前記メタデータを前記映像表示手段に配置されたメタデータ表示領域に文字として表示するメタデータ表示手段と、前記メタデータ表示領域に文字として表示されたメタデータを指定するポインティング手段と、前記ポインティング手段により指定されたメタデータに対応づけられた前記映像コンテンツを特定する映像コンテンツ特定手段と、前記ポインティング手段によるメタデータの指定がされるまでの間は、オンエア中の映像コンテンツを前記映像表示領域に表示させ、前記ポインティング手段によるメタデータの指定がされたときには、当該メタデータのタイトルで特定された映像コンテンツを、前記映像コンテンツ格納手段から取得し、当該特定された映像コンテンツの提供源からオンエア中の映像コンテンツを表示している前記映像表示領域に表示させる指定映像コンテンツ表示手段と、を備えることを特徴とする。
本発明に係る映像コンテンツ閲覧装置によれば、閲覧したい映像コンテンツを選択するに際して、メタデータ表示領域に表示されるメタデータをポインティング手段で選択することにより映像コンテンツを指定し、映像表示手段の映像表示領域に所望の映像コンテンツを表示できる。
【０００９】
同じく請求項２に記載の発明は、請求項１に記載の映像コンテンツ閲覧装置において、前記メタデータは、タイトルとメタデータ本文とから構成されており、前記メタデータ表示領域には取得したメタデータのタイトルを表示し、前記ポインティング手段で指定した前記メタデータのタイトルに相当するメタデータ本文を前記映像表示手段におけるメタデータ本文表示領域に表示するメタデータ本文表示手段を備えることを特徴とする。
本発明によれば、映像表示手段にメタデータ表示領域にメタデータのタイトルを、メタデータ本文表示領域にメタデータの本文を表示できる。
【００１０】
同じく請求項３に記載の発明は、請求項２に記載の映像コンテンツ閲覧装置において、前記メタデータ表示手段は、前記メタデータのタイトルを前記メタデータ表示領域に移動する文字列として表示することを特徴とする。
本発明によれば、複数のメタデータをメタデータ表示領域に移動する文字列として順次表示され、この表示された複数のメタデータから所望の文字列を選択できる。
【００１１】
同じく請求項４に記載の発明は、請求項１から請求項３までのいずれかに記載の映像コンテンツ閲覧装置において、前記ポインティング手段は、マウスであることを特徴とする。
本発明によれば、マウスを使用することにより、画面上で容易にメタデータを指定することができる。
【００１２】
同じく請求項５に記載の発明は、請求項１から請求項４までのいずれか一項に記載の映像コンテンツ閲覧装置において、前記映像コンテンツ取得手段は、過去にテレビ放映された番組コンテンツを提供源である放送局ごとに前記映像コンテンツとして格納していることを特徴とする。
本発明によれば、放送局ごとに表示された映像コンテンツを視認しながら、メタデータの選択ができる。
【００１３】
同じく請求項６に記載の発明は、請求項１から請求項５までのいずれか一項に記載の映像コンテンツ閲覧装置において、前記メタデータ格納手段に格納された前記メタデータのうち、指定された条件のメタデータを抽出して前記メタデータ表示手段により前記メタデータ表示領域に表示するメタデータ検索手段を備えることを特徴とする。
本発明によれば、メタデータ表示手段に表示させるメタデータを検索して指定でき、所望の分野や領域の映像コンテンツを選択できる。
【００１４】
同じく請求項７に記載の発明は、請求項１から請求項６までのいずれかに記載の映像コンテンツ閲覧装置と、この映像コンテンツ閲覧装置に接続された前記映像表示手段と、前記映像コンテンツ取得手段と、前記メタデータを供給するメタデータ供給手段と、を備えることを特徴とする映像コンテンツ閲覧システムである。
本発明によれば、映像表示手段に表示して閲覧したい映像コンテンツを選択するに際して、映像コンテンツ閲覧装置により、リアルタイムで取得され映像表示手段のメタデータ表示領域に表示されるメタデータをポインティング手段で選択して映像コンテンツを指定し、映像表示手段の映像表示領域に所望の映像コンテンツを表示できる。
【００１５】
同じく請求項８に記載の発明は、複数の提供源から取得した映像コンテンツを格納した映像コンテンツ格納手段から所望の映像コンテンツを映像表示手段に表示するに際して、前記映像コンテンツ格納手段から指定した１又は複数の前記映像コンテンツを取得するステップと、前記映像コンテンツ格納手段に格納された前記映像コンテンツについてのメタデータを取得するステップと、取得した複数の映像コンテンツまたはオンエア中の映像コンテンツを、前記映像表示手段に提供源別に配置された映像表示領域に表示するステップと、取得した映像コンテンツに関するメタデータを前記映像表示手段の表示領域に配置されたメタデータ表示領域に文字として表示するステップと、前記メタデータ表示領域をポインティング手段で指定したとき、当該指定された領域に表示されているメタデータで特定される前記映像コンテンツを特定するステップと、前記ポインティング手段によるメタデータの指定がされるまでの間は、オンエア中の映像コンテンツを前記映像表示領域に表示させ、前記ポインティング手段によるメタデータの指定がされたときには、当該メタデータのタイトルで特定された映像コンテンツを、前記映像コンテンツ格納手段から取得し、当該特定された映像コンテンツの提供源からオンエア中の映像コンテンツを表示している前記映像表示領域に表示させるステップと、をコンピュータに実行させるためのコンピュータプログラムである。
【００１６】
本発明に係るコンピュータプログラムによれば、閲覧したい映像コンテンツを選択するに際して、リアルタイムで取得され映像表示手段のメタデータ表示領域に表示されるメタデータをポインティング手段で選択することにより映像コンテンツを指定し、映像表示手段の映像表示領域に所望の映像コンテンツを表示できる。
【発明の効果】
【００１７】
本発明に係る映像コンテンツ閲覧装置、映像コンテンツ閲覧方法、及びコンピュータプログラムによれば、閲覧したい映像コンテンツを選択するに際して、リアルタイムで取得され映像表示手段のメタデータ表示領域に表示されるメタデータをポインティング手段で選択することにより映像コンテンツを指定し、映像表示手段の映像表示領域に所望の映像コンテンツを表示できる。
【図面の簡単な説明】
【００１８】
【図１】本発明の実施形態に係る映像コンテンツ閲覧システムを示すブロック図である。
【図２】本発明の実施形態に係る映像コンテンツ閲覧装置のハードウエア構成を示すブロック図である。
【図３】同映像コンテンツ閲覧装置の機能構成を示すブロック図である。
【図４】同映像コンテンツ閲覧装置における表示画面の閲覧状態の表示画面を示す模式図である。
【図５】同映像コンテンツ閲覧装置における表示画面のメタデータタイトル表示領域の表示状態を示す模式図である。
【図６】同映像コンテンツ閲覧装置と映像コンテンツサーバ及びメタデータサーバとの間の処理を示すフローチャートである。
【図７】同映像コンテンツ閲覧装置内での処理を示すフローチャートである。
【発明を実施するための最良の形態】
【００１９】
以下、本発明を実施するための形態に係る映像コンテンツ閲覧装置、映像コンテンツ閲覧システム、映像コンテンツ閲覧方法、及びコンピュータプログラムについて説明する。
【００２０】
まず、本発明の実施形態に係る映像コンテンツ閲覧システムについて説明する。図１は本発明の実施形態に係る映像コンテンツ閲覧システムを示すブロック図である。実施形態に係る映像コンテンツ閲覧システム１００は、実施形態に係る映像コンテンツ閲覧装置２００と、この映像コンテンツ閲覧装置２００に接続されたポインティング手段であるマウス３００と、映像表示手段であるテレビセット４００と、映像コンテンツ格納手段５００と、メタデータサーバ６００とからなる。本実施形態では映像コンテンツ格納手段５００は、映像コンテンツ閲覧装置２００に内蔵されている。
【００２１】
映像コンテンツ閲覧装置２００は、コンピュータを構成している。また、マウス３００はポインティング手段をなし、無線で映像コンテンツ閲覧装置２００に接続され、テレビセット４００の表示面上の座標を指定できる。この指定は、テレビセット４００の表示画面の特定領域にカーソルを配置してクリック動作により行われる他、特定領域にカーソルを配置するだけのマウスオーバー動作によっても可能である。なお、マウス３００は、Ｂｌｕｅｔｏｏｔｈ（登録商標）等による無線接続、あるいはＵＳＢ（Universal Serial Bus）コネクタ等を使用した有線接続により接続される汎用品を使用することができる。これにより、コストを抑えることができる。
【００２２】
映像コンテンツ格納手段５００は、過去の所定期間にわたる映像コンテンツの供給源である各チャンネルでテレビ放送された番組コンテンツを格納している。即ち、映像コンテンツ格納手段５００は、テレビチューナー及びハードディスク等の記憶手段を備える。これにより、映像コンテンツ格納手段５００は、各放送局からの映像データ及び音声データ（以下映像データ、音声データを含めて映像データという）、及び番組名、タイムスタンプ、例えば開始時刻、終了時刻等のタイトルデータが蓄積され、所望の映像データ及びタイトルデータを送出可能とされている。映像コンテンツ格納手段５００は、映像コンテンツ閲覧装置２００に入力された要求により、所定日時、時刻、チャンネルにおける映像及び音声からなる番組コンテンツを、タイトル、放送時刻等の情報と共に送出する。なお、この映像コンテンツ格納手段５００は映像コンテンツ閲覧装置２００と一体とすることの他、映像コンテンツ閲覧装置２００と別体として、ＬＡＮ（Local Area Network）、ＵＳＢ（Universal Serial Bus）で接続することができる。
【００２３】
メタデータサーバ６００は、メタデータ供給手段をなし、各番組に関する各種の情報（メタデータ）を格納し供給する。メタデータサーバ６００は、インターネットにより映像コンテンツ閲覧装置２００に接続されている。メタデータサーバ６００は、メタデータの提供業者によって運営されている。ここで、メタデータは各番組について提供業者によって作成された情報であり、テレビ番組の放送日、曜日、局名、分類、番組内容の要約、ヘッドライン、番組開始時刻、番組終了時刻、出演者、コーナーの名称、ジャンル等の各種情報を含む。このメタデータは、提供業者によって番組の放送中において順次作成されて、番組の放送から短時間（１〜２分）遅延して略リアルタイムで提供される。なお、メタデータは、映像コンテンツ格納手段５００からは取得できない。
【００２４】
次に映像コンテンツ閲覧装置２００について説明する。図２は本発明の実施形態に係る映像コンテンツ閲覧装置のハードウエア構成を示すブロック図である。上述のように映像コンテンツ閲覧装置２００はコンピュータとして構成される。映像コンテンツ閲覧装置２００は、主記憶装置として、ＣＰＵ(Central Processing Unit)２１０、ＲＡＭ（Random
Access Memory）２２０、ＲＯＭ（Read Only Memory）２３０を、補助記憶装置としてＨＤＤ（HardDisc Drive）２４０を備える。また、映像コンテンツ閲覧装置２００は、マ
ウス３００を接続する入力インターフェース２６０、テレビセット４００を接続するＨＤＭＩ（登録商標）２７０を備える。更に、映像コンテンツ閲覧装置２００は、映像コンテンツ格納手段５００、メタデータサーバ６００を接続するインターネット通信制御装置２９０、マウス３００、キーボード３１０、ＤＶＤメディア３４０に記録を行う記録手段であるＤＶＤドライブ３３０を備える。
【００２５】
これらの各部は、バスライン３５０で接続されており、ＣＰＵ２１０がＲＡＭ２２０に格納された本発明の実施形態に係るコンピュータプログラムを、ＲＯＭ２３０を実行領域として実行することにより、以下に説明する機能部を実現し映像コンテンツ閲覧方法を実行する。
【００２６】
次に映像コンテンツ閲覧装置２００の機能構成とテレビセット４００への表示について説明する。図３は同映像コンテンツ閲覧装置の機能部の構成を示すブロック図、図４は同映像コンテンツ閲覧装置における表示画面の閲覧状態の表示画面を示す模式図である。映像コンテンツ閲覧装置２００は、図３に示すように、制御部７１０、メタデータ取得手段７３０、映像表示手段である映像コンテンツ表示手段７４０、メタデータ表示手段７５０、指定映像コンテンツ表示手段７６０、映像コンテンツ一時格納手段７７０、メタデータ格納手段７８０を備える。
【００２７】
次いで、テレビセット４００に表示される画面について説明する。図４に示すように、テレビセット４００の表示画面８００には、映像表示領域である映像コンテンツ表示領域８１０、メタデータ表示領域であるメタデータタイトル表示領域８２０、メタデータ本文表示領域であるメタデータ本文表示領域８３０、及び操作表示領域８４０が表示される。また、マウスカーソル３０１が表示されており、マウス３００のボタンをクリックすることにより、マウスカーソル３０１が表示された表示画面８００の座標が指定される。
【００２８】
この例では、映像コンテンツ表示領域８１０には、６つの提供源別、即ち放送局別に表示領域８１１〜８１６が設定されている。即ち、表示領域８１１にはチャンネルＡ、表示領域８１２にはチャンネルＢ、表示領域８１３にはチャンネルＣ、表示領域８１４にはチャンネルＤ、表示領域８１５にはチャンネルＥ、表示領域８１６にはチャンネルＦの６つの映像コンテンツが表示される。常時において、映像コンテンツ表示領域８１０の各表示領域８１１〜８１６には、オンエア中の映像コンテンツが表示されている。マウスカーソル３０１をいずれかの表示領域８１１〜８１６に配置してマウス３００をクリックすることにより、当該表示領域で表示されている映像コンテンツの音声が再生される。なお、映像コンテンツ表示領域８１０には任意の数、例えば２、４、８等の表示領域を表示できる。
【００２９】
メタデータタイトル表示領域８２０には、取得されたメタデータのタイトルが移動する文字列として表示される。メタデータのタイトルをマウスカーソル３０１で指定することにより、このメタデータのタイトルで特定される映像コンテンツが当該映像コンテンツを放送したチャンネルの表示領域に表示される。
【００３０】
メタデータ本文表示領域８３０には、マウスカーソル３０１により選択されたメタデータタイトル表示領域８２０のメタデータのタイトルに相当するメタデータの本文が表示される。
【００３１】
操作表示領域８４０には、映像コンテンツ閲覧装置２００の操作シンボルが表示されており、操作シンボルを選択することにより、表示画面８００を初期画面にする操作、映像コンテンツを全面表示する操作等を行うことができる。
【００３２】
映像コンテンツ閲覧装置２００において、制御部７１０は映像コンテンツ閲覧装置２００の全体を制御する。また、制御部７１０は映像コンテンツ特定手段及びメタデータ検索手段として機能する。メタデータ取得手段７３０は、メタデータサーバ６００から所定のメタデータを取得する。取得された映像コンテンツは、映像コンテンツ一時格納手段７７０に、取得されたメタデータは、メタデータ格納手段７８０に格納される。
【００３３】
映像コンテンツ表示手段７４０は、表示画面８００の映像コンテンツ表示領域８１０において、表示領域８１１〜８１６に最新の映像コンテンツを表示する。
【００３４】
メタデータ表示手段７５０は、メタデータタイトル表示領域８２０に取得したメタデータのタイトルを移動する文字列として表示する。図５は同映像コンテンツ閲覧装置における表示画面のメタデータタイトル表示領域の表示状態を示す模式図である。図５（ａ）に示した例では、メタデータタイトル表示領域８２０にメタデータのタイトルを示す文字列「ＡＡ…ＡＡ」が右から左に向けて移動して表示されている。表示されているメタデータのタイトルは、予め指定された時間範囲、チャンネル、キーワード等により選択されたものである。
【００３５】
この状態でマウスカーソル３０１により移動するメタデータのタイトルを表示する文字列「ＡＡ…ＡＡ」を表示する領域８２１Ａをマウス３００をクリックすると、制御部７１０は、このメタデータのタイトルで特定される映像コンテンツを特定する。
【００３６】
また、図５（ｂ）に示すように、文字列「ＡＡ…ＡＡＡ」に続いて次のメタデータのタイトルを示す文字列「ＢＢ…ＢＢ」が間を開けて表示される。この場合には、マウスカーソル３０１で文字列「ＡＡ…ＡＡ」を示す領域８２１Ａ又は文字列「ＢＢ…ＢＢ」を示す領域８２１Ｂのいずれかを選択して所望のメタデータを選択できる。
【００３７】
指定映像コンテンツ表示手段７６０は、指定されたメタデータのタイトルで特定される映像コンテンツを当該映像コンテンツが放送されたチャンネルが表示されている表示領域８１１〜８１６のいずれかに表示する。
【００３８】
そして、メタデータ表示手段７５０は、メタデータタイトル表示領域８２０において指定されたメタデータの本文をメタデータ本文表示領域８３０に、表示する。これにより、選択された映像コンテンツのメタデータ本文を表示できる。
【００３９】
次に、本実施形態に係る映像コンテンツ閲覧システム１００の動作について説明する。まず、映像コンテンツ閲覧装置２００における映像コンテンツ格納手段５００、映像コンテンツ閲覧装置２００とメタデータサーバ６００との間の処理について説明する。図６は映像コンテンツ閲覧装置と映像コンテンツ取得手段及びメタデータサーバとの間の処理を示すフローチャートである。図６に示すように、映像コンテンツ閲覧システム１００において、映像コンテンツ格納手段５００は過去の一定期間にわたり放送局が放送した番組コンテンツを映像コンテンツとして格納している（ステップＳ１）。また、メタデータサーバ６００には過去の一定期間にわたる指定された放送局が放送した番組コンテンツのメタデータが生成、蓄積されている（ステップＳ２）。
【００４０】
このような状態において、映像コンテンツ閲覧装置２００により映像コンテンツ格納手段５００が蓄積した映像コンテンツの閲覧を行う。映像コンテンツ閲覧装置２００を起動すると、映像コンテンツ閲覧装置２００は、各局映像コンテンツ、メタデータを順次取得する（ステップＳ３）。取得した映像コンテンツは、映像コンテンツ一時格納手段７７０に、メタデータはメタデータ格納手段７８０に格納される。この処理は映像コンテンツ閲覧装置２００の動作が終了するまで行われる（ステップＳ４）。
【００４１】
次に映像コンテンツ閲覧装置２００における閲覧処理について説明する。図７は同映像コンテンツ閲覧装置内での処理を示すフローチャートである。映像コンテンツ閲覧装置２００の使用者はメタデータの検索範囲、キーワードを指定する（ステップＳ１１）。この指定に際しては、対象とする検索範囲とキーワードの指定を行う。範囲は、例えば過去２時間、○月×日△時から□時まで、何月何日等の期間と閲覧する放送局（チャンネル）とを指定する。キーワードの指定については、作成されるメタデータであれば、個人名、会社名、地名、事件名その他の用語を指定できる。複数キーワードの論理和、論理積、排他条件等任意に設定できる。
【００４２】
検索範囲及びキーワードの指定は、テレビセット４００に表示されたキーワード指定画面において表示されたソフトキーボードをマウス３００で指定することができる他、映像コンテンツ閲覧装置２００に接続したキーボード３１０で行うことができる。
【００４３】
この指定の間において映像コンテンツ表示手段７４０は、映像コンテンツ表示領域８１０の表示領域８１１〜８１６に各チャンネルが放送している映像コンテンツを表示する（ステップＳ１２）。そして、制御部７１０は、ステップＳ１１の指定に従ってメタデータ格納手段７８０からメタデータを抽出し（ステップＳ１３）、メタデータ表示手段７５０は、この抽出したメタデータのタイトルをメタデータタイトル表示領域８２０に移動する文字列として順次間隔を開けて表示する（ステップＳ１４）。このときメタデータのタイトルは、メタデータタイトル表示領域８２０にマウスカーソル３０１が順次表示されるタイトルを区別して指定できるような速度で、適宜間隔を開けて表示される（図５参照）。
【００４４】
この状態で、制御部７１０はマウスカーソル３０１で文字列が指定されたかを判定する（ステップＳ１５）。文字列が指定されない場合（ステップＳ１５のＮｏ）には、ステップＳ１１〜ステップ１５の処理を続ける。
メタデータのタイトルがマウスカーソル３０１で指定されたとき（ステップＳ１５のＹｅｓ）、制御部７１０は、選択されたメタデータのタイトルで特定される映像コンテンツを抽出し、映像コンテンツ表示手段７４０により当該映像コンテンツを放送したチャンネルを表示している表示領域８１１〜８１６のいずれかの表示領域に表示する（ステップＳ１６）。このとき、テキストに該当する表示領域を識別するための印、例えば縁取りを表示することができる。
また、同時に制御部７１０はメタデータ表示手段７５０により、メタデータ本文表示領域８３０にメタデータの本文を表示する（ステップＳ１７）。
これにより、使用者は興味を覚えたメタデータ本文がどのような映像コンテンツであるかを容易に確認できる。そして、マウス３００の右クリック操作により映像コンテンツを巻き戻したり、リピート再生したりすることができ、更に必要に応じて当該映像コンテンツを表示画面８００の全面に表示することができる。更に、選択した映像コンテンツを編集してＤＶＤドライブ３３０によりＤＶＤメディア３４０に録画することができる。
【００４５】
このような処理は、指定された映像コンテンツを終了まで実行され（ステップＳ１８）、更に映像コンテンツ閲覧装置２００を停止するまで実行される（ステップＳ１９）。
【００４６】
以上のように本実施形態に係る映像コンテンツ閲覧システム１００によれば、メタデータタイトル表示領域８２０に表示されるメタデータのタイトルを指定するだけで、視聴したい映像コンテンツを閲覧できる。このとき、メタデータ本文も表示することができるので、映像コンテンツの内容を正確に把握でき、より的確な映像コンテンツの閲覧を行うことができる。
【００４７】
なお、上記実施形態に係る映像コンテンツ閲覧システム１００では、映像コンテンツ閲
覧装置２００と映像コンテンツ格納手段５００とを別体として説明したが、これらを一体としてＤＶＤ、ブルーレイのメディアに録画が可能なハードディスクレコーダーとして構成することができる。この場合には、ハードディスクレコーダーには複数のテレビチューナー、録画用のハードディスクを備える。
【００４８】
また、上記実施形態では、映像コンテンツ格納手段５００には、テレビ放映された番組コンテンツを蓄積するものとしたが、映像コンテンツ格納手段５００には番組コンテンツに限らず、インターネット上で配信されている映像コンテンツ、自作の映像コンテンツ等その他の映像コンテンツを格納し、映像コンテンツ閲覧装置２００で閲覧できる。
【００４９】
なお、上記実施形態では、映像表示手段としてテレビセット４００を使用する例を挙げたが、映像表示手段としては、パーソナルコンピュータ、タブレット端末、スマートフォン等を使用することができる。また、上記実施形態では、映像コンテンツ閲覧装置２００とテレビセット４００とを別体として説明したが、映像コンテンツ閲覧装置と映像表示手段とを一体に構成したパーソナルコンピュータに、パーソナルコンピュータと別体に構成した映像コンテンツ取得手段をＬＡＮ等で接続して映像コンテンツ閲覧システムを構成することができる。
【産業上の利用可能性】
【００５０】
本発明に係る映像コンテンツ閲覧装置、映像コンテンツ閲覧システム、映像コンテンツ閲覧方法、及びコンピュータプログラムは、プレビュー画面とメタデータを確認しつつ簡単な操作により目的とする映像コンテンツを閲覧することができ、家電産業、映像コンテンツ配信産業で利用が可能である。
【符号の説明】
【００５１】
１００:映像コンテンツ閲覧システム
２００:映像コンテンツ閲覧装置
３００:マウス（ポインティング手段）
３０１:マウスカーソル
３１０:キーボード
３３０:ＤＶＤドライブ
３４０:ＤＶＤメディア
３５０:バスライン
４００:テレビセット（映像表示手段）
５００：映像コンテンツ格納手段
６００:メタデータサーバ
７１０:制御部（映像コンテンツ特定手段、メタデータ検索手段）
７３０:メタデータ取得手段
７４０  映像コンテンツ表示手段（映像表示手段）
７５０  メタデータ表示手段
７６０  指定映像コンテンツ表示手段
７７０  映像コンテンツ一時格納手段
７８０  メタデータ格納手段
８００:表示画面
８１０  映像コンテンツ表示領域
８１１〜８１６  表示領域
８２０  メタデータタイトル表示領域
８３０  メタデータ本文表示領域
８４０  操作部
【図１】
0006697854.tif 000002
【図２】
0006697854.tif 000003
【図３】
0006697854.tif 000004
【図４】
0006697854.tif 000005
【図５】
0006697854.tif 000006
【図６】
0006697854.tif 000007
【図７】
0006697854.tif 000008